(57)【要約】【課題】記録媒体及び補助媒体を用いて、その再生装置による再生にのみプロテクトをかけることができる再生装置を提供すること。【解決手段】ＤＶＤレコーダ１０は、挿入されたＤＶＤ４０の情報の再生と、挿入されたＤＶＤ４０及びＵＳＢメモリ５０のＩＤの検出とを行うＤＶＤレコーダ１０であって、ＤＶＤ４０及びＵＳＢメモリ５０のＩＤの組み合わせを記憶するメモリ１８と；メモリ１８に記憶された対応するＩＤを有するＵＳＢメモリ５０が挿入されていない場合には、メモリ１８にＩＤが記憶されたＤＶＤ４０の情報の再生を不可とする再生保護動作を行うＣＰＵ１９と；を有することを特徴とする。【選択図】図１
2008140520.tif 000002
【特許請求の範囲】
【請求項１】
挿入された記録媒体に対する情報の記録再生と、挿入された前記記録媒体及び補助媒体のＩＤの検出とを行う記録再生装置であって、
前記記録媒体及び前記補助媒体のＩＤの組み合わせを記憶する再生保護情報記憶部と、
記録予約情報、前記記録媒体のＩＤ、及び前記補助媒体のＩＤの組み合わせを記憶する記録保護情報記憶部と、
前記再生保護情報記憶部に記憶された対応するＩＤを有する前記補助媒体が挿入されていない場合には、前記再生保護情報記憶部にＩＤが記憶された前記記録媒体の情報の再生を不可とする再生保護動作と；前記記録保護情報記憶部に記憶された対応するＩＤを有する前記記録媒体又は前記補助媒体が挿入されていない場合には、前記記録保護情報記憶部に記憶された前記記録予約情報に基づく情報の記録を不可とする記録保護動作と；前記記録保護情報記憶部に記憶された対応するＩＤを有する前記記録媒体及び前記補助媒体が挿入されている場合には、前記記録保護情報記憶部に記憶された前記記録予約情報に基づく情報の記録を、他の情報の記録に対して優先させる優先記録動作と；を行う制御部と、
を有することを特徴とする記録再生装置。
【請求項２】
挿入された記録媒体の情報の再生と、挿入された前記記録媒体及び補助媒体のＩＤの検出とを行う再生装置であって、
前記記録媒体及び前記補助媒体のＩＤの組み合わせを記憶する再生保護情報記憶部と、
前記再生保護情報記憶部に記憶された対応するＩＤを有する前記補助媒体が挿入されていない場合には、前記再生保護情報記憶部にＩＤが記憶された前記記録媒体の情報の再生を不可とする再生保護動作を行う制御部と、
を有することを特徴とする再生装置。
【請求項３】
挿入された記録媒体への情報の記録と、挿入された前記記録媒体及び補助媒体のＩＤの検出とを行う記録装置であって、
記録予約情報、前記記録媒体のＩＤ、及び前記補助媒体のＩＤの組み合わせを記憶する記録保護情報記憶部と、
前記記録保護情報記憶部に記憶された対応するＩＤを有する前記記録媒体又は前記補助媒体が挿入されていない場合には、前記記録保護情報記憶部に記憶された前記記録予約情報に基づく情報の記録を不可とする記録保護動作を行う制御部と、
を有することを特徴とする記録装置。
【請求項４】
前記制御部は、
前記記録保護情報記憶部に記憶された対応するＩＤを有する前記記録媒体及び前記補助媒体が挿入されている場合には、前記記録保護情報記憶部に記憶された前記記録予約情報に基づく情報の記録を、他の情報の記録に対して優先させる優先記録動作を行うことを特徴とする請求項３に記載の記録装置。
【請求項５】
挿入された記録媒体の情報の再生と、挿入された前記記録媒体及び補助媒体のＩＤの検出とを行う再生装置の動作を制御するプログラムであって、
前記再生装置に備えられた、前記記録媒体及び前記補助媒体のＩＤの組み合わせを記憶する再生保護情報記憶部に記憶された対応するＩＤを有する前記補助媒体が前記再生装置に挿入されていない場合には、前記再生保護情報記憶部にＩＤが記憶された前記記録媒体の情報の再生を不可とする再生保護ステップを有することを特徴とするプログラム。
【請求項６】
挿入された記録媒体への情報の記録と、挿入された前記記録媒体及び補助媒体のＩＤの検出とを行う記録装置の動作を制御するプログラムであって、
前記記録装置に備えられた、記録予約情報、前記記録媒体のＩＤ、及び前記補助媒体のＩＤの組み合わせを記憶する記録保護情報記憶部に記憶された対応するＩＤを有する前記記録媒体又は前記補助媒体が前記記録装置に挿入されていない場合には、前記記録保護情報記憶部に記憶された前記記録予約情報に基づく情報の記録を不可とする記録保護ステップを有することを特徴とするプログラム。
【請求項７】
前記記録保護情報記憶部に記憶された対応するＩＤを有する前記記録媒体及び前記補助媒体が前記記録装置に挿入されている場合には、前記記録保護情報記憶部に記憶された前記記録予約情報に基づく情報の記録を、他の情報の記録に対して優先させる優先記録ステップを有することを特徴とする請求項６に記載のプログラム。
【発明の詳細な説明】
【技術分野】
【０００１】
本発明は、記録媒体及び補助媒体を挿入可能な再生装置及び記録装置に関する。また、本発明は、そのような再生装置及び記録装置を有する記録再生装置に関する。また、本発明は、そのような再生装置及び記録装置の動作を制御するプログラムに関する。
【背景技術】
【０００２】
近年、第３者による記録媒体の情報の再生を防ぐためのプロテクト技術に関する発明が多数なされている（特許文献１参照）。
【０００３】
特許文献１に記載のデータ記録方法は、目次情報を補助媒体に記録し、データ情報を記録媒体に記録することで、記録媒体が第３者の手に渡っても、それだけではデータ情報の再生を不可とすることができるものである。
【特許文献１】特開２００６−０３１７５８号公報
【発明の開示】
【発明が解決しようとする課題】
【０００４】
ここで、一般には、記録媒体の情報の再生に対するプロテクトは、特定の再生装置においてのみなされれば十分である場合が多い。例えば、子供がいる家庭においては、その家庭で利用されている再生装置においてのみ、子供にとってふさわしくない情報の再生に対するプロテクトがかかれば十分であり、他の再生装置においては普通に再生可能となる構成とした方が、利便性が向上する。
【０００５】
しかしながら、特許文献１に記載のデータ記録方法によると、目次情報が記録媒体に記録されないことから、記録媒体に記録されたデータ情報を再生するためには、どの再生装置においても、対応する目次情報が記録された補助媒体が必要となる。そのため、第３者による記録媒体のデータ情報の再生に対するプロテクト能力は十分であるが、利便性に問題があるといえる。
【０００６】
上記の問題を鑑みて本発明においては、記録媒体及び補助媒体を用いて、その再生装置による再生にのみプロテクトをかけることができる再生装置を提供することを目的とする。また、本発明の他の目的は、記録媒体及び補助媒体を用いて、その記録装置による記録にプロテクトをかけることができる記録装置を提供することである。また、本発明の他の目的は、そのような再生装置及び記録装置を有する記録再生装置を提供することである。また、本発明の他の目的は、そのような再生装置及び記録装置の動作を制御するプログラムを提供することである。
【課題を解決するための手段】
【０００７】
本発明においては、記録再生装置は、挿入された記録媒体に対する情報の記録再生と、挿入された前記記録媒体及び補助媒体のＩＤの検出とを行う記録再生装置であって、前記記録媒体及び前記補助媒体のＩＤの組み合わせを記憶する再生保護情報記憶部と、記録予約情報、前記記録媒体のＩＤ、及び前記補助媒体のＩＤの組み合わせを記憶する記録保護情報記憶部と、前記再生保護情報記憶部に記憶された対応するＩＤを有する前記補助媒体が挿入されていない場合には、前記再生保護情報記憶部にＩＤが記憶された前記記録媒体の情報の再生を不可とする再生保護動作と；前記記録保護情報記憶部に記憶された対応するＩＤを有する前記記録媒体又は前記補助媒体が挿入されていない場合には、前記記録保護情報記憶部に記憶された前記記録予約情報に基づく情報の記録を不可とする記録保護動作と；前記記録保護情報記憶部に記憶された対応するＩＤを有する前記記録媒体及び前記補助媒体が挿入されている場合には、前記記録保護情報記憶部に記憶された前記記録予約情報に基づく情報の記録を、他の情報の記録に対して優先させる優先記録動作と；を行う制御部と、を有することを特徴とする。
【０００８】
本発明においては、再生装置は、挿入された記録媒体の情報の再生と、挿入された前記記録媒体及び補助媒体のＩＤの検出とを行う再生装置であって、前記記録媒体及び前記補助媒体のＩＤの組み合わせを記憶する再生保護情報記憶部と、前記再生保護情報記憶部に記憶された対応するＩＤを有する前記補助媒体が挿入されていない場合には、前記再生保護情報記憶部にＩＤが記憶された前記記録媒体の情報の再生を不可とする再生保護動作を行う制御部と、を有することを特徴とする。
【０００９】
本発明においては、記録装置は、挿入された記録媒体への情報の記録と、挿入された前記記録媒体及び補助媒体のＩＤの検出とを行う記録装置であって、記録予約情報、前記記録媒体のＩＤ、及び前記補助媒体のＩＤの組み合わせを記憶する記録保護情報記憶部と、前記記録保護情報記憶部に記憶された対応するＩＤを有する前記記録媒体又は前記補助媒体が挿入されていない場合には、前記記録保護情報記憶部に記憶された前記記録予約情報に基づく情報の記録を不可とする記録保護動作を行う制御部と、を有することを特徴とする。
【００１０】
本発明においては、上記構成の記録装置において、前記制御部は、前記記録保護情報記憶部に記憶された対応するＩＤを有する前記記録媒体及び前記補助媒体が挿入されている場合には、前記記録保護情報記憶部に記憶された前記記録予約情報に基づく情報の記録を、他の情報の記録に対して優先させる優先記録動作を行うことが望ましい。
【００１１】
本発明においては、プログラムは、挿入された記録媒体の情報の再生と、挿入された前記記録媒体及び補助媒体のＩＤの検出とを行う再生装置の動作を制御するプログラムであって、前記再生装置に備えられた、前記記録媒体及び前記補助媒体のＩＤの組み合わせを記憶する再生保護情報記憶部に記憶された対応するＩＤを有する前記補助媒体が前記再生装置に挿入されていない場合には、前記再生保護情報記憶部にＩＤが記憶された前記記録媒体の情報の再生を不可とする再生保護ステップを有することを特徴とする。
【００１２】
本発明においては、プログラムは、挿入された記録媒体への情報の記録と、挿入された前記記録媒体及び補助媒体のＩＤの検出とを行う記録装置の動作を制御するプログラムであって、前記記録装置に備えられた、記録予約情報、前記記録媒体のＩＤ、及び前記補助媒体のＩＤの組み合わせを記憶する記録保護情報記憶部に記憶された対応するＩＤを有する前記記録媒体又は前記補助媒体が前記記録装置に挿入されていない場合には、前記記録保護情報記憶部に記憶された前記記録予約情報に基づく情報の記録を不可とする記録保護ステップを有することを特徴とする。
【００１３】
本発明においては、上記構成のプログラムにおいて、前記記録保護情報記憶部に記憶された対応するＩＤを有する前記記録媒体及び前記補助媒体が前記記録装置に挿入されている場合には、前記記録保護情報記憶部に記憶された前記記録予約情報に基づく情報の記録を、他の情報の記録に対して優先させる優先記録ステップを有することが望ましい。
【発明の効果】
【００１４】
本発明の再生装置は、再生保護情報記憶部に記憶された対応するＩＤを有する補助媒体が挿入されていない場合には、再生保護情報記憶部にＩＤが記憶された記録媒体の情報の再生を不可とする再生保護動作を行う制御部を有するので、特定の記録媒体の情報の再生に対するプロテクトをかけることができる。したがって、例えば、子供のいる家庭において、子供にとってふさわしくない情報を有する記録媒体の情報の再生に対するプロテクトをかけることができる。そして、特許文献１のデータ記録方法を用いた場合などに生じる、プロテクトをかけることによる、記録媒体に記録された情報の変化・欠如などはないことから、プロテクトをかけられた記録媒体は、他の再生装置においては普通に再生可能であり、利便性が高い。
【００１５】
本発明の記録装置は、記録保護情報記憶部に記憶された対応するＩＤを有する記録媒体又は補助媒体が挿入されていない場合には、記録保護情報記憶部に記憶された記録予約情報に基づく情報の記録を不可とする記録保護動作を行う制御部を有するので、特定の記録予約に対するプロテクトをかけることができる。したがって、例えば、ある情報の記録を行うか否か迷っている場合などに、とりあえず該情報の記録予約情報を記録保護情報記憶部に記憶させておけば、後に該情報の記録が不要と判断したときに、記録保護情報記憶部に記憶された対応するＩＤを有する記録媒体又は補助媒体を記録装置から取り外すだけで、該情報の記録をキャンセルできることとなり、利便性が高い。
【００１６】
また、本発明の記録装置は、記録保護情報記憶部に記憶された対応するＩＤを有する記録媒体及び補助媒体が挿入されている場合には、記録保護情報記憶部に記憶された記録予約情報に基づく情報の記録を、他の情報の記録に対して優先させる優先記録動作を行う制御部を有する。したがって、記録装置を複数人で共有している場合において、どうしても記録したい情報がある場合に、記録保護情報記憶部を利用した記録予約を行うことで、記録装置を共有している他人の設定した記録予約による記録失敗を防止できる。
【発明を実施するための最良の形態】
【００１７】
本発明の実施形態について、図面を用いて説明すれば以下の通りである。
【００１８】
図１は、本発明の実施形態に係るＤＶＤレコーダ１０（記録再生装置、再生装置、記録装置）の概略の構成を示すブロック図である。ＤＶＤレコーダ１０は、チューナ１１と、ＭＰＥＧエンコーダ１２と、ＤＶＤドライブ１３と、ＭＰＥＧデコーダ１４と、表示制御部１５と、ＵＳＢドライブ１６と、受光部１７と、メモリ１８と、ＣＰＵ１９（制御部）とを有している。
【００１９】
そして、チューナ１１にはアンテナ２０が接続され、表示制御部１５にはテレビジョン装置３０が接続されている。また、ＤＶＤドライブ１３にはＤＶＤ４０（記録媒体）が挿入可能であり、ＵＳＢドライブ１６にはＵＳＢメモリ５０（補助媒体）が挿入可能である。
【００２０】
ＤＶＤレコーダ１０が放送情報をＤＶＤ４０に記録する際の処理の流れは以下の通りである。まず、アンテナ２０が放送信号を受信し、これをチューナ１１へ伝達する。チューナ１１は、アンテナ２０から伝達された放送信号から所望のチャンネルの放送信号を抽出し、これをＭＰＥＧエンコーダ１２へ伝達する。ＭＰＥＧエンコーダ１２は、チューナ１１から伝達された放送信号に対するエンコード（圧縮）を行い、得られた記録信号をＤＶＤドライブ１３へ伝達する。ＤＶＤドライブ１３は、ＭＰＥＧエンコーダ１２から伝達された記録信号をＤＶＤ４０に記録する。
【００２１】
また、ＤＶＤレコーダ１０がＤＶＤ４０に記録された情報を再生する際の処理の流れは以下の通りである。まず、ＤＶＤドライブ１３がＤＶＤ４０に記録された記録信号を読み出し、これをＭＰＥＧデコーダ１４へ伝達する。ＭＰＥＧデコーダ１４は、ＤＶＤドライブ１３から伝達された記録信号に対するデコード（伸長）を行い、得られた再生信号を表示制御部１５へ伝達する。表示制御部１５は、ＭＰＥＧデコーダ１４から伝達された再生信号に基づく情報をテレビジョン装置４０に表示させる。
【００２２】
また、ＤＶＤレコーダ１０がＵＳＢメモリ５０に記録された情報を再生する際の処理の流れは以下の通りである。まず、ＵＳＢドライブ１６がＵＳＢメモリ５０に記録された記録信号を読み出し、各種信号処理を施すことによって再生信号を生成し、これを表示制御部１５へ伝達する。表示制御部１５は、ＵＳＢドライブ１６から伝達された再生信号に基づく情報をテレビジョン装置４０に表示させる。
【００２３】
受光部１７は、不図示のリモコンから送信された赤外線信号を受光し、これを電気信号に変換してＣＰＵ１９へ伝達する。メモリ１８は、ＣＰＵ１９の後述する各種制御動作の際に必要な情報を記憶するメモリである。なお、メモリ１８の詳細は後述する。ＣＰＵ１９は、チューナ１１と、ＭＰＥＧエンコーダ１２と、ＤＶＤドライブ１３と、ＭＰＥＧデコーダ１４と、表示制御部１５と、ＵＳＢドライブ１６と、受光部１７と、メモリ１８とに接続され、これらに対して制御指示信号を伝達することで、各種動作を実行させている。
【００２４】
次に、メモリ１８の詳細について説明する。図２は、メモリ１８の概略の構成を示すブロック図である。メモリ１８は、再生保護情報記憶部１８１と、記録保護情報記憶部１８２とを有している。
【００２５】
次に、再生保護情報記憶部１８１の詳細について説明する。図３は、再生保護情報記憶部１８１の概略の構成を示すブロック図である。再生保護情報記憶部１８１は、３組の再生保護情報記憶領域１８１１、１８１２、１８１３を有している。そして、３組の再生保護情報記憶領域１８１１、１８１２、１８１３は、それぞれ、ＤＶＤ４０のＩＤを記憶するＤＶＤＩＤ記憶領域１８１１ａ、１８１２ａ、１８１３ａと、ＵＳＢメモリ５０のＩＤを記憶するＵＳＢＩＤ記憶領域１８１１ｂ、１８１２ｂ、１８１３ｂとを有している。
【００２６】
ここで、ＤＶＤＩＤ記憶領域１８１１ａ、１８１２ａ、１８１３ａには、それぞれ、ユーザがＤＶＤレコーダ１０における再生にプロテクトをかけたいＤＶＤ４０のＩＤが記憶される。そして、ＵＳＢＩＤ記憶領域１８１１ｂ、１８１２ｂ、１８１３ｂには、それぞれ、ＤＶＤＩＤ記憶領域１８１１ａ、１８１２ａ、１８１３ａにＩＤが記憶されたＤＶＤ４０をＤＶＤレコーダ１０で再生するために必要なＵＳＢメモリ５０のＩＤが記憶される。
【００２７】
このＤＶＤＩＤ記憶領域１８１１ａ、１８１２ａ、１８１３ａ及びＵＳＢＩＤ記憶領域１８１１ｂ、１８１２ｂ、１８１３ｂへのＩＤの記憶は、ユーザが、ＤＶＤレコーダ１０における再生にプロテクトをかけたいＤＶＤ４０をＤＶＤドライブ１３に挿入し、対応するＵＳＢメモリ５０をＵＳＢドライブ１６に挿入した上で、不図示のリモコンを用いて所定の操作を行うことで、ＣＰＵ１９によってなされる。
【００２８】
具体的には、ユーザが、ＤＶＤレコーダ１０における再生にプロテクトをかけたいＤＶＤ４０をＤＶＤドライブ１３に挿入し、対応するＵＳＢメモリ５０をＵＳＢドライブ１６に挿入した上で、不図示のリモコンを用いて所定の操作を行うと、ＣＰＵ１９は、その時点で挿入されているＤＶＤ４０のＩＤと、その時点で挿入されているＵＳＢメモリ５０のＩＤとを検出し、３組の再生保護情報記憶領域１８１１、１８１２、１８１３のいずれかに記憶させる。
【００２９】
次に、記録保護情報記憶部１８２の詳細について説明する。図４は、記録保護情報記憶部１８２の概略の構成を示すブロック図である。記録保護情報記憶部１８２は、３組の記録保護情報記憶領域１８２１、１８２２、１８２３を有している。３組の記録保護情報記憶領域１８２１、１８２２、１８２３は、それぞれ、記録予約情報を記憶する記録予約情報記憶領域１８２１ａ、１８２２ａ、１８２３ａと、ＤＶＤ４０のＩＤを記憶するＤＶＤＩＤ記憶領域１８２１ｂ、１８２２ｂ、１８２３ｂと、ＵＳＢメモリ５０のＩＤを記憶するＵＳＢＩＤ記憶領域１８２１ｃ、１８２２ｃ、１８２３ｃとを有している。
【００３０】
ここで、記録予約情報記憶領域１８２１ａ、１８２２ａ、１８２３ａには、それぞれ、ユーザがＤＶＤレコーダ１０における記録にプロテクトをかけたい記録予約情報が記憶される。そして、ＤＶＤＩＤ記憶領域１８２１ｂ、１８２２ｂ、１８２３ｂ及びＵＳＢＩＤ記憶領域１８２１ｃ、１８２２ｃ、１８２３ｃには、それぞれ、ＤＶＤレコーダ１０によって、記録予約情報記憶領域１８２１ａ、１８２２ａ、１８２３ａに記憶された記録予約情報に基づく情報の記録を行うために必要なＤＶＤ４０及びＵＳＢメモリ５０のＩＤが記憶される。
【００３１】
この記録予約情報記憶領域１８２１ａ、１８２２ａ、１８２３ａ、ＤＶＤＩＤ記憶領域１８２１ｂ、１８２２ｂ、１８２３ｂ、及びＵＳＢＩＤ記憶領域１８２１ｃ、１８２２ｃ、１８２３ｃへの情報の記憶は、ユーザが、対応するＤＶＤ４０をＤＶＤドライブ１３に挿入し、対応するＵＳＢメモリ５０をＵＳＢドライブ１６に挿入した上で、ＤＶＤレコーダ１０における記録にプロテクトをかけたい記録予約情報を入力する際に、不図示のリモコンを用いて所定の操作を行うことで、ＣＰＵ１９によってなされる。
【００３２】
具体的には、ユーザが、対応するＤＶＤ４０をＤＶＤドライブ１３に挿入し、対応するＵＳＢメモリ５０をＵＳＢドライブ１６に挿入した上で、ＤＶＤレコーダ１０における記録にプロテクトをかけたい記録予約情報を入力する際に、不図示のリモコンを用いて所定の操作を行うと、ＣＰＵ１９は、その時点で挿入されているＤＶＤ４０のＩＤと、その時点で挿入されているＵＳＢメモリ５０のＩＤとを検出し、３組の記録保護情報記憶領域１８２１、１８２２、１８２３のいずれかに、入力された記録予約情報と共に記憶させる。
【００３３】
次に、ＤＶＤ４０の情報の再生指令がなされた際のＣＰＵ１９の制御動作について説明する。図５は、ＤＶＤ４０の情報の再生指令がなされた際のＣＰＵ１９の制御動作を示すフローチャートである。ＣＰＵ１９は、ＤＶＤ４０の再生指令を検出すると（Ｓ１）、その時点で挿入されているＤＶＤ４０のＩＤを検出する（Ｓ２）。次に、ＣＰＵ１９は、ＤＶＤＩＤ記憶領域１８１１ａ、１８１２ａ、１８１３ａのいずれかにＳ２で検出されたＩＤが記憶されているか否かを検出する（Ｓ３）。ここで、ＤＶＤＩＤ記憶領域１８１１ａ、１８１２ａ、１８１３ａのいずれにもＳ２で検出されたＩＤが記憶されていない場合には、ＣＰＵ１９は、ＤＶＤ４０の情報の再生を開始させる（Ｓ４）。
【００３４】
一方、Ｓ３において、ＤＶＤＩＤ記憶領域１８１１ａ、１８１２ａ、１８１３ａのいずれかにＳ２で検出されたＩＤが記憶されている場合には、ＣＰＵ１９は、その時点で挿入されているＵＳＢメモリ５０のＩＤを検出する（Ｓ５）。次に、ＣＰＵ１９は、Ｓ２で検出されたＩＤが記憶されているＤＶＤＩＤ記憶領域に対応するＵＳＢＩＤ記憶領域に記憶されているＩＤと、Ｓ５で検出されたＩＤとが一致するか否かを検出する（Ｓ６）。そして、Ｓ２で検出されたＩＤが記憶されているＤＶＤＩＤ記憶領域に対応するＵＳＢＩＤ記録領域に記憶されているＩＤと、Ｓ５で検出されたＩＤとが一致する場合には、ＣＰＵ１９は、ＤＶＤ４０の情報の再生を開始させ（Ｓ４）、一致しない場合には、ＣＰＵ１９は、ＤＶＤ４０の情報の再生を中止させる（Ｓ７）。
【００３５】
ＣＰＵ１９が図５に示された制御動作を行うことから、ＤＶＤレコーダ１０においては、対応するＵＳＢＩＤ記憶領域に記憶されたＩＤを有するＵＳＢメモリ５０が挿入されていない場合には、ＤＶＤＩＤ記憶領域にＩＤが記憶されたＤＶＤ４０の情報の再生が不可能となる。つまり、ＤＶＤレコーダ１０による特定のＤＶＤ４０の情報の再生に対するプロテクトをかけることができる。したがって、例えば、子供のいる家庭において、子供にとってふさわしくない情報を有するＤＶＤ４０の情報の再生に対するプロテクトをかけることができる。そして、特許文献１のデータ記録方法を用いた場合などに生じる、プロテクトをかけることによる、ＤＶＤ４０に記録された情報の変化・欠如などはないことから、プロテクトをかけられたＤＶＤ４０は、他の再生装置においては普通に再生可能であり、利便性が高い。
【００３６】
次に、記録予約情報記憶領域１８２１ａ、１８２２ａ、１８２３ａのいずれかに記憶された記録予約情報に基づくＤＶＤ４０への情報の記録の際のＣＰＵ１９の制御動作について説明する。図６は、記録予約情報記憶領域１８２１ａ、１８２２ａ、１８２３ａのいずれかに記憶された記録予約情報に基づくＤＶＤ４０への情報の記録の際のＣＰＵ１９の制御動作を示すフローチャートである。
【００３７】
ＣＰＵ１９は、記録予約情報記憶領域１８２１ａ、１８２２ａ、１８２３ａのいずれかに記憶された記録予約情報に基づくＤＶＤ４０への情報の記録時に（Ｓ１１）、その時点で挿入されているＤＶＤ４０のＩＤを検出する（Ｓ１２）。次に、ＣＰＵ１９は、Ｓ１１において記録時となった記録予約情報が記憶されている記録予約情報記憶領域に対応するＤＶＤＩＤ記憶領域に記憶されているＩＤと、Ｓ１２で検出されたＩＤとが一致するか否かを検出する（Ｓ１３）。ここで、Ｓ１１において記録時となった記録予約情報が記憶されている記録予約情報記憶領域に対応するＤＶＤＩＤ記憶領域に記憶されているＩＤと、Ｓ１２で検出されたＩＤとが一致しない場合には、ＣＰＵ１９は、ＤＶＤ４０への情報の記録を中止させる（Ｓ１４）。
【００３８】
一方、Ｓ１３において、Ｓ１１において記録時となった記録予約情報が記憶されている記録予約情報記憶領域に対応するＤＶＤＩＤ記憶領域に記憶されているＩＤと、Ｓ１２で検出されたＩＤとが一致した場合には、ＣＰＵ１９は、その時点で挿入されているＵＳＢメモリ５０のＩＤを検出する（Ｓ１５）。次に、ＣＰＵ１９は、Ｓ１１において記録開始時となった記録予約情報が記憶されている記録予約情報記憶領域に対応するＵＳＢＩＤ記憶領域に記憶されているＩＤと、Ｓ１５で検出されたＩＤとが一致するか否かを検出する（Ｓ１６）。そして、Ｓ１１において記録時となった記録予約情報が記憶されている記録予約情報記憶領域に対応するＵＳＢＩＤ記憶領域に記憶されているＩＤと、Ｓ１５で検出されたＩＤとが一致する場合には、ＣＰＵ１９は、ＤＶＤ４０への情報の記録を開始させ（Ｓ１７）、一致しない場合には、ＣＰＵ１９は、ＤＶＤ４０への情報の記録を中止させる（Ｓ１４）。
【００３９】
ＣＰＵ１９が図６に示された制御動作を行うことから、ＤＶＤレコーダ１０においては、対応するＤＶＤＩＤ記憶領域及びＵＳＢＩＤ記憶領域に記憶されたＩＤを有するＤＶＤ４０及びＵＳＢメモリ５０のうちの一方が挿入されていない場合には、記録予約情報記憶領域に記憶された記録予約情報に基づくＤＶＤ４０への情報の記録が不可能となる。つまり、ＤＶＤレコーダ１０による特定の記録予約に対するプロテクトをかけることができる。したがって、例えば、ある情報の記録を行うか否か迷っている場合などに、とりあえず該情報の記録予約情報を記録予約情報記憶領域に記憶させておけば、後に該情報の記録が不要と判断したときに、対応するＤＶＤＩＤ記憶領域及びＵＳＢＩＤ記憶領域に記憶されたＩＤを有するＤＶＤ４０及びＵＳＢメモリ５０のうちの一方を取り外すだけで、該情報の記録をキャンセルできることとなり、利便性が高い。
【００４０】
また、ＣＰＵ１９は、対応するＤＶＤＩＤ記憶領域及びＵＳＢＩＤ記憶領域に記憶されたＩＤを有するＤＶＤ４０及びＵＳＢメモリ５０が挿入されている場合には、記録予約情報記憶領域に記憶された記録予約情報に基づくＤＶＤ４０への情報の記録を他の情報の記録に対して優先させる制御を行うことが望ましい。これは、具体的には、例えば、記録予約情報記憶領域に記憶された記録予約情報と、別に設定された記録予約情報との間に時間的な重複がある場合に、対応するＤＶＤＩＤ記憶領域及びＵＳＢＩＤ記憶領域に記憶されたＩＤを有するＤＶＤ４０及びＵＳＢメモリ５０が挿入されているならば、ＣＰＵ１９は、記録予約情報記憶領域に記憶された記録予約情報に基づくＤＶＤ４０への情報の記録を行わせ、別に設定された記録予約情報に基づくＤＶＤ４０への情報の記録を行わせないように制御することなどを指す。
【００４１】
このような構成とすることで、ＤＶＤレコーダ１０を複数人で共有している場合において、どうしてもＤＶＤ４０へ記録したい情報がある場合に、記録保護情報記憶部１８２を利用した記録予約を行うことで、ＤＶＤレコーダ１０を共有している他人の設定した記録予約による記録失敗を防止できる。
【００４２】
なお、本発明は上記の実施形態に限定されず、本発明の主旨を逸脱しない範囲で種々の変更が可能である。例えば、上記の実施形態においては、再生保護情報記憶部１８１が有する再生保護情報記憶領域の組数は３組でなくともよく、自然数組であればよい。また、記録保護情報記憶部が有する記録保護情報記憶領域の組数についても同様である。
【産業上の利用可能性】
【００４３】
本発明は、記録媒体及び補助媒体を挿入可能な再生装置及び記録装置として有効である。また、本発明は、そのような再生装置及び記録装置を有する記録再生装置として有効である。また、本発明は、そのような再生装置及び記録装置の動作を制御するプログラムとして有効である。
【図面の簡単な説明】
【００４４】
【図１】ＤＶＤレコーダ１０の概略の構成を示すブロック図。
【図２】メモリ１８の概略の構成を示すブロック図。
【図３】再生保護情報記憶部１８１の概略の構成を示すブロック図。
【図４】記録保護情報記憶部１８２の概略の構成を示すブロック図。
【図５】ＤＶＤ４０の情報の再生指令がなされた際のＣＰＵ１９の制御動作を示すフローチャート。
【図６】記録予約情報記憶領域１８２１ａ、１８２２ａ、１８２３ａのいずれかに記憶された記録予約情報に基づくＤＶＤ４０への情報の記録の際のＣＰＵ１９の制御動作を示すフローチャート。
【符号の説明】
【００４５】
１０    ＤＶＤレコーダ（記録再生装置、再生装置、記録装置）
１９    ＣＰＵ（制御部）
４０    ＤＶＤ（記録媒体）
５０    ＵＳＢメモリ（補助媒体）
１８１    再生保護情報記憶部
１８２    記録保護情報記憶部
【図１】
2008140520.tif 000003
【図２】
2008140520.tif 000004
【図３】
2008140520.tif 000005
【図４】
2008140520.tif 000006
【図５】
2008140520.tif 000007
【図６】
2008140520.tif 000008